(57)【要約】  本発明は、毛髪および他の体毛を滑らかにし、プレスし、巻き毛にするための、および、毛髪および他の体毛に模様を描くための毛髪成形装置に関する。当該装置は、筐体、および、熱することが可能な２つのロールを備えている。  本発明は、第１ロール（１）および第２ロール（２）の両方が電気モータ（３ａ、３ｂ）に接続され、上記電気モータ（３ａ、３ｂ）が駆動部品（１０）を通じて上記第１ロール（１）および上記第２ロール（２）に接続され、上記第１および第２ロール（１、２）には独特の繰り返し模様を作り出すことのできるカバー（１２１、１２２、１２３、２２１、２２２、２２３）が取り付けられており、上記カバー（１２１、１２２、１２３、２２１、２２２、２２３）が少なくとも２つの部分からなり、上記第１および第２ロール（１、２）の各々が少なくとも２つの加熱部（１０１、１０２、１０３、２０１、２０２、２０３）を含むことを特徴とする。本発明は、さらに上記毛髪成形装置の使用方法に関するものである。
2016518935.tif 000002
【特許請求の範囲】
【請求項１】
毛髪および他の体毛を滑らかにし、プレスし、巻き毛にするための、および、毛髪および他の体毛に模様を描くための毛髪成形装置であって、
筐体、および、熱することが可能な２つのロールを備えており、
第１ロール（１）および第２ロール（２）の両方は電気モータ（３ａ、３ｂ）に接続され、
上記電気モータ（３ａ、３ｂ）は駆動部品（１０）を通じて上記第１ロール（１）および上記第２ロール（２）に接続され、
上記第１および第２ロール（１、２）には独特の繰り返し模様を作り出すことのできるカバー（１２１、１２２、１２３、２２１、２２２、２２３）が取り付けられており、
上記カバー（１２１、１２２、１２３、２２１、２２２、２２３）は少なくとも２つの部分からなり、
上記第１および第２ロール（１、２）の各々は、少なくとも２つの加熱部（１０１、１０２、１０３、２０１、２０２、２０３）を含む
ことを特徴とする毛髪成形装置。
【請求項２】
交換式の第１カバー（１２１、１２２、１２３）が、上記第１ロール（１）に取り付けられ、
交換式の第２カバー（２２１、２２２、２２３）が、上記第２ロール（２）に取り付けられ、
上記第１および第２カバーは上記第１ロール（１）および上記第２ロール（２）に着脱可能に取り付けられる
ことを特徴とする請求項１に記載の毛髪成形装置。
【請求項３】
上記第１ロール（１）および上記第２ロール（２）の直径は異なり、
上記第１ロール（１）および上記第２ロール（２）の軸は少なくとも平行に近い
ことを特徴とする請求項１または２に記載の毛髪成形装置。
【請求項４】
毛髪を保持可能な保持部品（１８）が、上記第１カバー（１２１、１２２、１２３）および上記第２カバー（２２１、２２２、２２３）の少なくとも何れかに取り付けられている
ことを特徴とする請求項１から３の何れか一項に記載の毛髪成形装置。
【請求項５】
上記電気モータ（３ａ、３ｂ）は動力制御部（１４）を備えており、
上記動力制御部（１４）は上記電気モータ（３ａ、３ｂ）および回転センサ（１５ａ、１５ｂ）に接続されている
ことを特徴とする請求項１から４の何れか一項に記載の毛髪成形装置。
【請求項６】
上記第１および第２カバー（１２１、１２２、１２３、２２１、２２２、２２３）は、互いに補完的であり、模様を作り出すことができ、上記第１ロール（１）および上記第２ロール（２）に取り付けられている
ことを特徴とする請求項１から５の何れか一項に記載の毛髪成形装置。
【請求項７】
上記第１ロール（１）および上記第２ロール（２）は、上記加熱部（１０１、１０２、１０３、２０１、２０２、２０３）を制御可能な加熱制御部（１３）に接続されている
ことを特徴とする請求項１から６の何れか一項に記載の毛髪成形装置。
【請求項８】
請求項１に記載の毛髪成形装置を使用する方法であって、
上記第１ロール（１）および上記第２ロール（２）には、実現されるヘアスタイルに応じて上記カバー（１２１、１２２、１２３、２２１、２２２、２２３）が取り付けられ、
成形される髪の房が、上記ロール（１、２）の間に配置され、
上記第１および第２ロール（１、２）の両方の少なくとも１つの部分は、事前、および、同時の少なくとも何れかに熱せられ、
上記第１および第２ロール（１、２）の両方は、それぞれのロールと強制的な接続関係にある各電気モータ（３ａ、３ｂ）によって、同じ、または、異なる回転速度および方向で駆動され、
上記毛髪成形装置は、一様な速さで、毛髪の根元から端部へ、または、毛髪の根元へ動かされる
ことを特徴とする方法。
【請求項９】
毛髪を挿入するとき、および、取り除くときに、
上記第１ロール（１）および上記第２ロール（２）は、それぞれの軸が平行に配置されたまま、分離される
ことを特徴とする請求項８に記載の方法。
【請求項１０】
上記第１カバー（１２１、１２２、１２３）は上記第１ロール（１）に取り付けられ、
上記第２カバー（２２１、２２２、２２３）は上記第２ロール（２）に取り付けられ、
上記第１および第２カバーは、ヘアスタイリングの処理後、上記第１および第２ロール（１、２）から取り外される
ことを特徴とする請求項８または９に記載の方法。
【請求項１１】
必要に応じて、異なる直径の上記第１および第２カバー（１２１、１２２、１２３、２２１、２２２、２２３）がカール用に使用され、
保持部材（１８）が、上記第１カバー（１２１、１２２、１２３）および上記第２カバー（２２１、２２２、２２３）の少なくとも何れかに取り付けられ、
上記第１および第２ロール（１、２）が開いた状態で、接触することなく、同じ方向に回転することにより、毛髪が上記保持部材（１８）に挿入される
ことを特徴とする請求項９または１０に記載の方法。
【請求項１２】
円滑カバー（１２１、１２２、１２３、２２１、２２２、２２３）が、毛髪を滑らかにするために上記第１ロール（１）および上記第２ロール（２）に取り付けられ、
上記髪の房は事前に熱せられた上記第１および第２ロール（１、２）の間に配置され、
上記第１および第２ロール（１、２）は同じ、または、反対の方向に回転しており、
必要に応じて、上記第１ロール（１）および上記第２ロール（２）の一方は他方よりも速く回転している
ことを特徴とする請求項９から１１の何れか一項に記載の方法。
【請求項１３】
毛髪に模様を作り出すとき、
模様が付けられた第１カバー（１２１、１２２、１２３）が上記第１ロール（１）に取り付けられ、
上記第１カバー（１２１、１２２、１２３）を補完する第２カバー（２２１、２２２、２２３）が上記第２ロール（２）に取り付けられ、
上記髪の房は事前に熱せられた上記第１および第２ロール（１、２）の間に配置され、
上記第１および第２ロール（１、２）は同じ、または、反対の方向に、同じ、または、異なる速さで回転しており、
成形の間、必要に応じて、上記回転速度と、上記加熱部（１０１、１０２、１０３、２０１、２０２、２０３）の動作とが調整される
ことを特徴とする請求項９から１１の何れか一項に記載の方法。
【請求項１４】
巻き毛の毛髪に模様を作り出すとき、
模様が付けられた第１カバー（１２１、１２２、１２３）が上記第１ロール（１）に取り付けられ、
上記第１カバー（１２１、１２２、１２３）を補完する第２カバー（２２１、２２２、２２３）が上記第２ロール（２）に取り付けられ、
保持部品（１８）が上記第１ロール（１）および上記第２ロール（２）の少なくとも何れかに取り付けられ、
上記髪の房は事前に熱せられた上記第１および第２ロール（１、２）の間に配置され、
上記髪の房の端部は保持部品（１８）によって固定され、
上記第１および第２ロール（１、２）は反対の方向に、同じ、または、異なる速さで回転しており、
成形の間、必要に応じて、上記回転速度と、上記加熱部（１０１、１０２、１０３、２０１、２０２、２０３）の動作とが調整される
ことを特徴とする請求項９から１１の何れか一項に記載の方法。
【発明の詳細な説明】
【技術分野】
【０００１】
本発明の主題は、毛髪成形装置であり、毛髪および他の体毛を滑らかにし、プレスし、巻き毛にするためのものであり、また、毛髪および他の体毛に模様を描くためのものであり、筐体、および、熱することが可能な２つのロール（円筒）を備えている。
【背景技術】
【０００２】
多くの既知の毛髪成形装置が存在する。特に、毛髪を巻き毛にし、または、まっすぐにするために使用可能なものがある。従来技術のいくつかの装置は、毛髪に独特の模様を作成するために使用可能である。
【０００３】
韓国の特許文献（No. KR100792621B1）は、２つの回転ヘッドで毛髪を成形する発明を記載している。この解決手段も外部筐体、および、電気モータで駆動される、熱せられたロールを備えているが、深刻な不利点も有している。電気モータは下のロールだけを駆動し、上のロールははめ歯歯車を通じて下のロールによって駆動される。もう一つの不利点は、下のロールだけが熱せられるので、この装置は、速く効率的に毛髪を成形するのに適さないことである。というのは、はめ歯歯車に基づく結合もまた弱いものでもあり、上記のように、加熱が制限されるからである。韓国文献のヘアスタイル装置の外部筐体の位置もまた不利である。これは、筐体が２つのロールを含んでおり、筐体が毛髪をロールにプレスする唯一の部品だからである。従って、巻き毛にされた髪の房の大きさは制限され、筐体の大きいサイズが原因で、不要な屈曲および荷重がユーザの手首に負荷をかける。このことは、装置の操作を非常に難しくしている。このヘアスタイル装置の別の不利点は、その装置が、巻き毛が頭全体に一様になるようにすることだけに適しているので、毛髪に独特の各種の模様をプレスすることに使用できないことである。
【０００４】
日本国実用新案（No. JPHO444801U）には、回転が手動で行われる一方で、毛髪を成形するための２つの回転ヘッドを使用する装置が記載されている。
【０００５】
中国特許文献（No. CN101448427A）には、毛髪を巻き毛にするための３つのロールの平行な動きを利用するヘアスタイル装置が記載されている。この装置は、カール用にのみ利用可能である。
【０００６】
ブラジル実用新案（No. BRMU8702850U2）は、毛髪のまっすぐな表面を変形させる、動力機によって駆動されるロールを備えている。
【０００７】
韓国特許文献（No. KR20010088269A）および米国特許文献（No. US5823204A）には、毛髪に特定の模様をプレスできる毛髪直毛化装置が記載されている。これらの装置は、毛髪に１つの特定の模様を形成することしかできない。
【０００８】
米国公開特許文献（No. US6520188B1）には、各種の模様が、加熱されたロールに設置可能であり、それによって毛髪に独特の模様をプレスする発明が記載されている。
【０００９】
韓国特許文献（No. KR20110007429A）には、毛髪に（おそらく、巻き毛にも）模様を形成するために使用可能な装置が記載されている。
【００１０】
イタリア公開文献（No. ITMI20001837A1）および英国公開文献（No. GB2415624A）には、ヘアスタイル装置の２つの部分に設置されたネガポジの形状が、独特の統一された模様を表現する発明が記載されている。
【００１１】
韓国特許文献（No. KR100766871B1）および米国特許文献（No. US4739151A）には、ネガポジの形状を備えた毛髪直毛部からなる装置が記載されている。
【００１２】
欧州公開特許文献（No. EP0940100A1）および米国公開文献（No. US2910988A）は、２以上のロールからなる毛髪成形装置が記載されている。当該発明は、毛髪を滑らかにすることを主な目的として、２つの交差するレバーによって操作される。欧州公開特許文献（No. EP0940100A1）だけ後述する。ロールは取り外し可能なカバーを有しているが、取り外し可能なシェルはペイントを取り除くためだけに使用される。当該装置は、１つだけ電気モータを含んでいる。これは、両方のロールが同じ動力機で駆動されるので、ロールの速さおよび回転方向を別々に調節することができず、両方のロールの１分あたりの回転数が同じであることを意味する。一方で、同文献には、当該装置は、異なる大きさのロールを使用することに適していると記載されているが、そうするには、はめ歯歯車の交換が必要になるが、直径は変更されない。ロールは、熱することが可能であるが、各ロールには１つしかヒータがないので、いずれか１つのロールが熱されるか、または、いずれのロールも熱されない。ロールの一部分だけを熱することはできないが、独特のヘアスタイルを作り出すためには、このような熱し方ができることが好ましい。解決方法の設計およびはめ歯歯車の固定直径により、髪の房の厚さに追従することができず、毛髪の根元から端部へ移動する場合だけに毛髪を成形することができるが、反対方向に移動する場合には成形することができない。
【００１３】
米国公開文献（No. US2062561A）に記載されている発明は、毛髪をまっすぐにすることだけができる。コーン型のロールの開きの制限、および、はめ歯歯車の固定パラメータの制限により、当該装置は、与えられた厚さの髪の房をプレスするために使用できるが、毛髪を滑らかにするためには使用できない。ロールが平行に配置されておらず、模様が互いに嵌合することがないので、上記装置は模様を作り出すことができない。レバーは、与えられた範囲だけにしかロールを開くことができないので、置換可能なシェルを使用するのにも適さない。上記装置は動力機を含んでいるが、ロールの速さおよび回転方向は別々に調節することができない。同様に、ヒータは、ロールの一部分に作用させることはできず、また、１つのロールだけに作用させることもできない。上述した発明と比較すると、この装置は、当該装置を毛髪の根元から端部に向かって移動させ、プレス技術だけを使用することによって、毛髪をまっすぐにするのに使用可能ある。毛髪を滑らかにするのに使用することはできない。
【００１４】
米国公開文献（No. US1845208A）には、毛髪をまっすぐにする方法が記載されている。装置は２つのロールを含んでおり、シェルまたは模様は、制限された開角のため、取り付けることはできない。装置は固定の回転速度で動作し、回転方向も一定である。装置は、処理された髪の房の変化に追従できず、下向きに動かすときだけ毛髪をまっすぐするのに使用可能である。当該文献は、動力機の動作および配置に関する詳細な情報を提供していない。ロールの端部においてはめ歯歯車が連結することによって、ヘアスタイル装置は、閉じられた状態でのみ、ある髪の房の厚さまで使用することができる。加熱は、部分またはユニットごとに行うことはできない。
【００１５】
独国実用新案（No. DE20104522U1）には、２つのロールからなる毛髪成形装置が記載されている。装置は、一方のロールだけを駆動する動力機を含んでおり、この駆動されるロールが、他方のロールを回転させる。駆動されるロールだけがヒータを含んでいる。従って、この解決方法は、上述の解決方法と同様に、多くの不利点を有している。上記装置は、ある深さおよび幅の模様をプレスするためだけにしか使用することができない。上記装置は、より小さく、より柔らかい模様を作り出すのに使用することができない。なぜなら、動力機で駆動されない方のロールは、他方のロール上の模様によって回転されるが、これは、表面の突出の変化が、ロールがはめ歯歯車のように突起に噛み合うことにより回転できる程度に十分大きくなければ、不可能であるためである。これは、上記装置が平らなカバーで動作することはできないことを意味し、ロールが毛髪をまっすぐにし、滑らかにすることに適さないことを意味する。また、髪の房が厚過ぎるとロール間の結合を壊すので、ロール間の依存性は、処理対象の髪の房の大きさの制限に対して重要な影響を有する。もう一つの不利点は、模様がロール自体の表面によって作り出されることである。これは、ロールをより大きくし、加熱に必要な時間を著しく延長することになる。また、ロールを付け替えるときに、ユーザは、新しいロールが他方のカバーにより加熱するまで待つ必要がある。対照的に、我々の現在の解決方法において、ロールは既に熱くなっており、著しくより小さいシェルが熱を吸収するのに数秒必要とするだけであり、ユーザは毛髪の成形を開始することができる。さらにもう一つの不利点は、速さと回転方向が合わせることができないことである。上記装置は、模様を作り出すことだけに使用することができるのであって、他の何かのために使用することができない。ヒータは部分に分割されないので、ロールの一つだけが熱せられ、ロール全体が熱せられる。
【００１６】
結局、既知の解決方法のすべてはいくつかの不利点を有することが明らかである。何れの発明も、同じロールを使用して、毛髪をまっすぐにし、巻き毛にし、プレスによって一体化することはできず、また、同じ髪の房に対して、同じロールを用いて、同じ動きで、かつ、同時に模様を付けることはできない。電気モータを含む上記装置は、１つのモータだけを含んでおり、当該モータははめ歯歯車を通じて双方のロールを駆動するために使用され、または、当該モータは一方のロールだけを駆動し、そのロールは次に他方のロールを回転させる。これは、既知の毛髪成形装置のすべてが２つのロールを同じ速さで回転させ、その速さはほとんどの場合に変更さえできないことを意味する。同じことが回転方向にも言える。すなわち、両方のロールが単一の動力機に依存しているので、ロールの回転方向は別々に変更することができない。さらに、何れの上記装置も回転速度が一定であるため模様の密度も一定なので、真に独特の模様を作り出すことはできない。ロール全体が熱せられるので、髪の房の幅に変化がなく、同じことが髪の房全体に行われることを意味し、模様が何れの方向に対しても常に同じ繰り返しで出現する。さらなる重要な不利点は、毛髪に対する上記装置の有害な影響である。はめ歯歯車に関連する制限によって、上記装置は髪の房の厚さの変化に追従できない。また、処理は、真に効果的にするために多数回繰り返す必要がある。高温で数回処理されることが毛髪にとってよくないことは簡単に分かる。すべての発明は、毛髪を一つの方向（毛髪の根元から端部に向かって移動する方向）だけにしか成形できない。
【００１７】
最新式の解決方法であっても、毛髪をまっすぐにするためだけにプレス技術を使用する。これは、両方のロールの１分あたりの回転数と、速さとが同じことを意味する。これは不利である。なぜなら、厚さが変化する髪の房（例えば、髪の房の中央、及び、端部）を処理し、同じ圧力および熱レベルの使用を強いられるときに、ユーザはより薄い部分に注意しなければならない。これは、髪の房のより薄い部分には期待通りの結果が実現されず、または、より厚い部分に適合させると、より薄い部分に損傷を起こすことを意味する。この技術は、髪の房の厚さの変化に追従できず、より厚い部分に対してより長い時間プレスを適用する必要があり、または、髪の房はより多い回数処理する必要がある。これは、毛髪に損傷を起こし得る。
【発明の概要】
【００１８】
本発明の目的は、既知の解決方法の不利点を解消し、毛髪を滑らかにし、プレスし、巻き毛にすることができ、模様を作り出すことができ、厚さが一定の、または、変化する髪の房に対して同時にこれらのすべてを行うことができる装置、および、使用方法を開発することである。当該装置が反対方向にも操作可能なので、これらの処理は下方向に実行する必要はない。これらの特徴を変化させることによって、毛髪に特別なウエーブを作り出すこともできる。重要な側面として、毛髪に損傷を与えることなく、処理される髪の房の厚さに応じて毛髪を成形するようにこれらのタスクが実行されるべきである。本発明のさらなる目的は、与えられたタスクのすべてを１つの処理で実行することができ、与えられた髪の房に対して上記毛髪成形装置を２回以上、下または上に動かす必要はないということである。
【００１９】
さらなる目的は、人の毛髪の長さまたは厚さに関係なく、真に独特の模様を作り出すことである。その模様は連続的かつ空間的であるが、繰り返しおよび密度は髪の房ごとに、また、各髪の房内で変更することができる。重要な目的は、毛髪に損傷を与えることもある温度上昇を行うことなく、効率を上げるべきということである。その代わりに、速さを上げることができ、また、ロールごと別々に速さを設定することができる。
【００２０】
本発明は、さらに、簡単で、かつ、効率のよい携帯型装置を開発することを目的とする。その装置は簡単に手動で操作可能である。その装置において、各回転ロールは電気モータに接続され、両方のロールが熱せられる。ロールには少なくとも２つの加熱部があり、その２つの加熱部は、お互いに分離しており、別々に制御可能である。ロールのある部分が熱せられていなければ、その部分が毛髪にどのような模様も作り出すことはない。
【００２１】
本発明は、さらに、ユーザが、ある髪の房に既に行われたタスクを、必要に応じてもう一つの髪の房に同じ方法で実行可能とすることを目的とする。このために、当該装置は、プログラミング可能であり、以前に使用された設定を記憶している。既に記載の通り、複数のロールは、異なる電気モータに駆動され、相互に依存しない。複数のロールは、異なる速さ、方向、または、１分あたりの回転数を有することが可能である。この目的は、ユーザが真に独特の模様を毛髪に作り出すことを可能とし、以前使用されていた装置よりも効果的な装置を作ることである。
【００２２】
本発明は、ヘアスタイル装置のロールの速さ、回転方向、カバー、および、カバーの直径が相互に独立して設定、調節可能なことが有利であるという認識に基づいている。この認識により、ユーザが、与えられたタスクのためにすべてを別々に設定することを可能とする。従って、上記毛髪成形装置は、どのような厚さのどのような髪の房を成形するためにも使用可能であり、髪の房内部の変化に適応可能である。その装置は、限りない数の独特のヘアスタイルを作り出すことができる。ヒータは、より小さい部分に分割されることもある。従って、ある髪の房は、ある加熱部をオンオフに切り換えることによって、処理されないまま残すことができる。ロールは、髪の房内部の変化に完全に追従する。従って、その装置は、薄い部分に多過ぎる熱を放射して、毛髪の構造に損傷を与えることはない。
【００２３】
ロールには、空間的な模様を作り出すことができるカバーまたはシェルを取り付けることができる。同時に動作する異なる直径のシェルを追加することによって、異なるサイズのウエーブを作り出すことができる。ロールの１つの回転速度を変更することによって、当該ヘアスタイル装置は、１つの動きの中で多くの滑らかな動きを行うことができる。従って、他の既知の解決方法とは異なって、回転速度だけを設定すれば十分なので、同じ髪の房は、多くの回数、または、高過ぎる温度で処理される必要はない。それほどの徹底さが必要でないときには、ロールの回転速度と回転方向は調和させることができ、これは、プレス技術が適用されることを意味する。
【００２４】
このようにして、上記装置は、連続的で、独特の空間的な模様を毛髪に作り出すことができる。突出するようなポジ・パターンが、他方のロールにおける反転したネガ・パターンに嵌合することで、空間的な模様が毛髪に出現する。しかしながら、ロールの１つが回転していなければ、毛髪に模様は作り出されない。ヒータのセルをオンオフに切り換えることによって、髪の房に模様が付かないか、または、髪の房の他の部分に模様が付けられる。明確なのは、これら数個の機能が調節されることによって、いくつかの独特のヘアスタイルを作り出すことが可能なことである。
【００２５】
本発明に係る最も一般的な実施形態は、請求項１の特徴に記載される。方法の最も一般的な形は、請求項９に記載される。様々な実施形態が他の請求項に記載される。
【００２６】
本発明は、好ましい実施形態を提示することによって、また、図面を用いて、詳細に記載される。
【図面の簡単な説明】
【００２７】
【図１】閉じた状態の装置の縦断面図を示す。
【図２】開いた状態の装置の側面図を示す。
【図３】髪の房を滑らかにする際の、円滑カバーを備えたロールの斜視図を示す。
【図４】髪の房を滑らかにし、回転速度を表示する際の、円滑カバーを備えたロールの、簡略化した断面図を示す。
【図５】髪の房を滑らかにし、回転速度を表示する際の、円滑カバーを備えたロールの、簡略化した断面図を示す。
【図６】髪の房をプレスし、回転速度を表示する際の、円滑カバーを備えたロールの、簡略化した断面図を示す。
【図７】髪の房を滑らかにし、分離することができるカバーを備えたロールの斜視図を示す。
【図８】模様を作り出すことができるカバーを備えたロールを、様々な模様の髪の房とともに示す空間的見取り図である。
【図９】反対方向に回転し、別々に加熱可能な部分からなり、模様を作り出すことができるカバーを備えたロール、および、滑らかにされ、模様が付された毛髪の斜視図を示す。
【図１０】反対方向に回転し、別々に加熱可能な部分からなり、加熱されている端部に２つの部分を備え、模様を作り出すことができるカバーを備えたロール、および、滑らかにされ、模様が付された毛髪の斜視図を示す。
【図１１】模様を作り出すことができるカバーを備えた、別々に加熱可能な部分からなるロールの斜視図である。突出するポジ・パターンを有する上側ロールが静止しており、滑らかにされ、模様が付された毛髪が示されている。
【図１２】保持部品、および、模様を作り出すことができるカバーを備えた、別々に加熱可能な部分からなるロールの斜視図である。突出するポジ・パターンを有する上側ロールが静止しており、毛髪が、双方のロールに保持され、上記装置により滑らかにされ、巻き毛にされ、模様が付される。
【図１３】反対方向に回転し、保持部品、および、模様を作り出すことができるカバーを備えた、別々に加熱可能な部分からなるロール、および、ロールに保持され、装置により滑らかにされ、巻き毛にされ、模様が付された毛髪の斜視図を示す。
【図１４】巻き毛にされ、模様が付された毛髪の斜視図を示す。
【図１５】円滑カバーおよび保持部材を備えたロール、ならびに、巻き毛にされるために保持された髪の房の斜視図を示す。
【図１６】円滑カバーおよび保持部材を備えたロール、ならびに、保持され、巻き毛にされた髪の房の斜視図を示す。
【図１７】特別に巻き毛にされ、ウエーブされた毛髪の斜視図を示す。
【発明を実施するための形態】
【００２８】
図１は閉じた状態の装置の縦断面図を示し、第１ロール１と、第２ロール２とは、平行に配置される。図示のように、ケーブルが供給する電力は、端部部品１２を通って動力制御部１４に届く。動力制御部１４は、第１ロール１を駆動する電気モータ３ａに接続され、駆動部品１０を通じて第２ロール２を駆動する電気モータ３ｂに接続される。動力制御部１４は、回転センサ１５ａおよび１５ｂにも接続される。カバー４の下には加熱制御部１３もあり、当該部は第１ロール１および第２ロール２にも接続される。第１ロール１の断面図は、加熱制御部１３によって制御される加熱部１０１、１０２、および、１０３を示す。各加熱部は、別々に操作可能であり、従って、断熱材１１１および１１２が加熱部の間に配置される。連続的な模様を作り出すカバー１２１、１２２、および、１２３は、第１ロール１に取り付けられる。第２ロール２は、第１ロール１の構造と類似する構造を持っている。加熱制御部１３は、断熱材２１１および２１２により分離された加熱部２０１、２０２、および、２０３に接続される。カバー２２１、２２２、２２３は、外側から第２ロール２に取り付けることができる。
【００２９】
前の図と同様に、図２は上記毛髪成形装置の斜視図を示すが、開いた状態になっている。電力は、端部部品１２を通じてカバー４の内側を伝導し、電気モータに入力される。電気モータは、駆動部品１０を通じて第１ロール１および第２ロール２を駆動する。カバー１２１、１２２、および、１２３は、第１ロール１に取り付けられ、補完的なカバー２２１、２２２、および、２２３は、第２ロール２に取り付けられる。
【００３０】
図３は、髪の房を滑らかにする際の、第１ロール１および第２ロール２を示す。
【００３１】
図４は、反対方向に回転している、第１ロール１および第２ロール２の簡略化された断面図を示す。より速い第２ロール２は、同じ側の毛髪を滑らかにし、より遅い第１ロールは、髪の房をプレスし、駆動するだけである。
【００３２】
図５は、前の図で示された方法とは反対の使用方法を示す。より速い第１ロール１は、同じ側の毛髪を滑らかにし、より遅い第２ロール２は、髪の房をプレスし、駆動するだけである。
【００３３】
図６は、反対方向に回転している第１ロール１および第２ロール２を示す。ロールの動きは調整され、当該ロールは同じ速さで回転する。
【００３４】
図７は、髪の房を分離することができるカバー１２１、１２２、および、１２３を備えた第１ロール１および第２ロール２を、分離され、滑らかにされた毛髪と共に示す。
【００３５】
図８は、模様を作り出すカバー１２１、１２２、および、１２３を取り付けられた第１ロール１、および、第２ロール２を示す。ロールの複数の部分は、別々に熱することが可能であり、様々な模様を作り出すことができる。次のステップとして図に示されるカバー１２２は、毛髪にプリントだけを残す。
【００３６】
図９は、平行に配置され、閉じた状態の第１ロール１および第２ロール２を示す。それらのロール１および２は反対方向に回転しており、髪の房はそれらのロールの間に保持される。カバー１２１、１２２、１２３は、突出する形で第１ロール１に取り付けられる。ネガティブな反転した形を備えたカバー２１２および２２２は、第２ロールに取り付けられる。ポジのカバー１２１、１２２、および、１２３、ならびに、ネガのカバー２２１および２２２は、ロール１と２が回転することにより、嵌合する。そして、すべての部分が熱せられ、空間的な模様が毛髪に作り出される。
【００３７】
前の図と同様に、図１０は、第１ロール１および第２ロール２を示すが、閉じた状態になっている。それらのロール１および２は反対方向に回転しており、髪の房がそれらのロールの間に保持される。カバー１２１、１２２、１２３、および、１２５は、突出する形を備えた第１ロール１に取り付けられる。ネガティブな反転した形を備えたカバー２２１、２２２、および、２２３は、第２ロール２に取り付けられる。図に示すステップでは、両側の部分が熱せられ、これは、カバー１２１および１２５だけがプリント、すなわち、空間的模様を毛髪に残すことを意味する。
【００３８】
図１１は、さらに、模様が付された髪の房を作り出すことを示す。第１ロール１および第２ロール２は、模様を作り出すためのカバー１２１、１２２、１２３、２２１、および、２２２が取り付けられる。第１ロール１は静止しており、毛髪に何のプリントも残さない。
【００３９】
図１２は、静止した第１ロール１、および、回転する第２ロール２が平行に配置されていることを示す。カバー１２１、１２２、および、１２３は、突出する形を備えた第１ロール１に取り付けられる。ネガティブな反転した形を備えたカバー２２１、２２２、および、２２３は、第２ロール２に取り付けられる。髪の房を保持するために使用される保持部品１８は、第２ロール２に取り付けられる。
【００４０】
図１３は、前の図の続きを示す。第１ロール１、および、第２ロール２は、反対方向に回転している。髪の房は保持部品１８によって第２ロール２に保持され、カールも処理の一部を形成する。カバー１２１、１２２、および、１２３は、巻き毛の毛髪に空間的模様をプレスするために、第１ロール１に取り付けられる。カバー２２１は第２ロール２に取り付けられ、第１ロール１に取り付けられるカバー１２１、１２２、および、１２３の反対である。
【００４１】
図１４は、滑らかにされ、巻き毛にされ、空間的な模様を備えた髪の房を示す。
【００４２】
図１５は、開いた装置における髪の房の配置を示す。第１ロール１および第２ロール２は平行に配置されているが、髪の房がロールの間に配置されるようにロール間の距離がより大きくなっている。髪の房は、保持部材１８によってロール１および２に保持される。髪の房が固定された後、ロール１および２が回転し始め、それによって巻き毛のヘアスタイルが完成される。
【００４３】
図１６は、前の図の続きである。第１ロール１および第２ロール２は平行に配置されており、上記装置は閉じた状態であり、髪の房はロール１および２の間に保持される。髪の房は、保持部品１８によっても、第１ロール１および第２ロール２に保持される。
【００４４】
図１７は、上記装置により滑らかにされ、巻き毛にされた髪の房を示す。
【００４５】
もう一つの可能な実施形態は、第１ロール１および第２ロール２の断面として円以外の形を使用することによって達せられる。さらにもう一つの可能な実施形態は、カバーが５個の部分からなることによって達せられる。
【００４６】
本発明を利用する過程において、カバー１２１、１２２、１２３は、望まれる結果に応じて選択されて、第１ロール１に取り付けられる。カバー２２１、２２２、２２３は、第２ロール２に取り付けられる。空間的な模様が毛髪に作り出されるべきであるときに、第１ロール１に取り付けられるカバー１２１、１２２、１２３と、第２ロール２に取り付けられるカバー２２１、２２２、２２３とは、補完的になる。カバー１２１、１２２、１２３は、ポジの、突出するような形を有しており、一方、それらに対抗するカバーは、ネガティブな反転した形を有している。または、その逆であってもよい。
【００４７】
髪の房が予備部品の間でプレスされたとき、予備部品が相互に嵌め込まれ、空間的な模様を作り出す。毛髪が巻き毛にされる場合、保持部材１８が、第１ロール１および第２ロール２の少なくとも何れかに取り付けられる。まっすぐな髪の房が成形される場合、保持部材１８が第１ロール１および第２ロール２から取り除かれる。上記毛髪成形装置は電源に接続され、加熱のために既知の加熱部１０１、１０２、１０３がスイッチオンされる。
【００４８】
そして、どのような幅および厚さの髪の房であっても、事前に熱せされたロール１および２の間に配置される。ロール１および２を閉じた後に、ロール１および２が電気モータ３ａおよび３ｂにより、駆動部品１０を通じて駆動される。第１ロール１は電気モータ３ａにより駆動され、第２ロール２は電気モータ３ｂにより駆動される。第１ロール１および第２ロール２の少なくとも何れかの速さと回転方向は、必要に応じて変更可能である。
【００４９】
利用の過程において、上記装置は、一様な速さで毛髪の根元から端部へ、または、逆方向である毛髪の端部から根元へ移動される。ロール１および２のいくつかの加熱部１０１、１０２、１０３、２０１、２０２、２０３が任意にスイッチオフになると、所定の領域またはバンドに何の模様も作り出されない。第１ロール１、または、第２ロール２の回転がオフに切り換えられると、何の模様も作り出されない。しかし、これは、髪の房のバンドの代わりに、幅、すなわち、横線にも適用される。滑らかにされた髪の房だけを作り出すとき、円滑カバー１２１、１２２、１２３、２２１、２２２、２２３がロール１および２に取り付けられる。滑らかであるが、巻き毛の髪の房を作り出すとき、円滑カバー１２１、１２２、１２３、２２１、２２２、２２３および保持部品１８が上記装置に取り付けられる。巻き毛のヘアスタイルを作り出すとき、保持部材１８をロールの１つだけに取り付ければ十分であるが、必要に応じて、または、特別のウエーブが作り出される場合、保持部品１８が第１ロール１、および、第２ロール２の両方に取り付けられる。
【００５０】
上記に記載の毛髪成形装置は、多くの有利点を持っている。本発明の有利点は、その装置が、同時に、毛髪を滑らかにし、プレスし、巻き毛にし、または、さらに毛髪に模様を作り出すために使用可能なことである。上記装置は、２つのロールを有しており、両方のロールが電気モータで駆動され、別々に調節可能である。従って、両方のロールは異なる速さで回転可能であり、反対方向に回転することも可能である。
【００５１】
ロールは、また、個別に調節可能な、分かれた熱セルを含む部分からなる。ロールに取り付けられた各シェルの保持部材が毛髪に引っ掛けられ、当該保持部材が開いた状態で同一方向または反対方向に同時に使用されると、特別なウエーブが作り出されることが可能である。空間的な模様を作り出すために、ネガおよびポジの形を備えたカバーがロールに取り付けられる。
【００５２】
このようにして、独特の模様が毛髪に作り出されることが可能である。これは、各髪の房の内部で異なる模様にすることも可能である。上側のロールが回転していなければ、何の模様も作り出されず、髪の房が滑らかになるだけであるからである。加熱がスイッチオフにされ、または、ある部分だけに加熱がスイッチオンにされると、異なるレイアウトで密度を変化させながら、模様が髪の房に作り出される。加熱がスイッチオフにされると、何の模様も作り出されず、加熱がスイッチオンにされると、与えられたバンドに模様が作り出される。本発明のもう一つの有利点は、ロールがどのような厚さの髪の房にも適合可能であり、従って、ロールが与えられた髪の房の厚さに適合することである。そして、本発明は、より薄い髪の房を処理するときであっても、毛髪の構造に損傷を与えることはない。
【００５３】
これまでに知られているヘアスタイル装置は毛髪に損傷を与えているので、これは重要な有利点であり、それらの能力は温度を上げるだけで増加することができる。本毛髪成形装置の場合、速さを増加させれば十分である。例えば、一方のロールが髪の房を駆動するために遅く回転する一方で、他方のロールは効率よく髪の房を滑らかにするためにより早く回転する。これは、処理が１回の動きで完了可能であり、上記装置を上下に何回も動かす必要がないことを意味する。この解決方法は、毛髪の構造に損傷を与えることがなく、上記装置の使用を促進させる。もちろん、ロールは、調和した様態で、一緒に、同じ速さで回転することも可能である。２つの（第１および第２）ロールは対等であり、強制的な接続関係にはない。これは、ロールのサイズ（相対的なサイズも含む）は変更可能であり、異なる形およびサイズの、多くのウエーブが、ロールに取り付け可能な異なるシェルによって作り出されることが可能であることも意味する。
【００５４】
上記装置のもう一つの有利点は、他のすべての既知の解決方法とは異なり、上記装置が毛髪の端部から根元に向かって動かすことが可能なことである。そのため、上記装置は、毛髪の根元から、または、逆から動かしている間に、毛髪をウエーブさせ、滑らかにし、まっすぐにすることができ、毛髪に模様を作り出すことさえできる。上記装置は、付加的な動きなしに、髪の房の内側および外側の両方を成形することもできる。上記毛髪成形装置は、プログラムされた動きを保存し、髪の房ごとに何回も当該動きを実行することができる。上記装置は、髪の房の長さに関係なく、同じ処理および段階で髪の房の根元および端部に模様を付けることができる。
【００５５】
上記の実施例に加えて、本発明は、保護の目的の中で、他の形式で、また、他の生成方法で具現可能である。
【図１】
2016518935.tif 000003
【図２】
2016518935.tif 000004
【図３】
2016518935.tif 000005
【図４】
2016518935.tif 000006
【図５】
2016518935.tif 000007
【図６】
2016518935.tif 000008
【図７】
2016518935.tif 000009
【図８】
2016518935.tif 000010
【図９】
2016518935.tif 000011
【図１０】
2016518935.tif 000012
【図１１】
2016518935.tif 000013
【図１２】
2016518935.tif 000014
【図１３】
2016518935.tif 000015
【図１４】
2016518935.tif 000016
【図１５】
2016518935.tif 000017
【図１６】
2016518935.tif 000018
【図１７】
2016518935.tif 000019
【国際調査報告】
2016518935.tif 000020